(57)【要約】【課題】長時間の録音が可能であり、且つ記録した内容の必要な部分を短時間で見つけることができるレコーダーサービスシステムを構成する携帯電話機及びサーバを提供する。【解決手段】録音モード時に携帯電話機１は、音声を入力して音声データを生成し、その音声データをサーバ３に送信するとともにサーバ３に前記音声データの記録を指示する。そして、再生モード時に携帯電話機１は、サーバ３に記録されている複数の音声データの中から一つの音声データを選択し、その選択した音声データの一部又は全てを指定してその指定した音声データの一部又は全部の送信をサーバ３に指示するとともにその指定した音声データの一部又は全部を受信し、その受信した音声データを再生する。【選択図】      図１
2004336319.tif 000002
【特許請求の範囲】
【請求項１】
音声を入力して音声データを生成する音声入力手段と、
前記音声入力手段によって生成された音声データをサーバに送信するとともに前記サーバに前記音声データの記録を指示する手段と、
前記サーバに記録されている少なくとも一つの音声データの中から一つの音声データを選択し、その選択した音声データの一部又は全てを指定してその指定した音声データの一部又は全部の送信を前記サーバに指示するとともにその指定した音声データの一部又は全部を受信する手段と、
前記受信手段によって受信された音声データを再生する再生手段と、
を備えることを特徴とする携帯電話機。
【請求項２】
音声データの再生開始時間を指定することによって前記選択した音声データの一部又は全てを指定する請求項１に記載の携帯電話機。
【請求項３】
請求項１又は請求項２に記載の携帯電話機に携帯電話網を介して接続されるサーバであって、
記録手段と、
前記携帯電話機からの指示に応じて前記携帯電話機から送信される音声データを前記記録手段に記録する手段と、
前記携帯電話機からの指示に応じて、前記記録手段に記録されている音声データの中から前記携帯電話機が指定した音声データの一部又は全部を読み出して前記携帯電話機に送信をする手段と、
を備えることを特徴とするサーバ。
【請求項４】
音声を入力して音声データを生成する音声入力手段と、
前記音声入力手段によって生成された音声データをサーバに送信するとともに、前記音声データを記録すること及びその記録した音声データを文字データに変換してその文字データを前記記録した音声データに対応させて記録することを前記サーバに指示する手段と、
前記サーバに記録されている少なくとも一つの音声データの中から一つの音声データを選択し、その選択した音声データの一部又は全てを指定してその指定した音声データの一部又は全部を前記サーバに送信させるとともにその指定した音声データの一部又は全部を受信する手段と、
前記受信手段によって受信された音声データを再生する再生手段と、
を備えることを特徴とする携帯電話機。
【請求項５】
前記文字データを、前記記録した音声データの最初から再生が開始されたときの再生開始からの経過時間によって、前記記録した音声データに対応させて記録することを前記サーバに指示する請求項４に記載の携帯電話機。
【請求項６】
文字データを指定することによってその指定された文字データに対応する前記選択した音声データの一部又は全てを指定する請求項４又は請求項５に記載の携帯電話機。
【請求項７】
請求項４〜６のいずれかに記載の携帯電話機に携帯電話網を介して接続されるサーバであって、
記録手段と、
前記携帯電話機からの指示に応じて前記携帯電話機から送信される音声データを前記記録手段に記録するとともに、その記録した音声データを文字データに変換してその文字データを前記記録した音声データに対応させて記録する手段と、
前記携帯電話機からの指示に応じて、前記記録手段に記録されている音声データの中から前記携帯電話機が指定した音声データの一部又は全部を読み出して前記携帯電話機に送信をする手段と、
を備えることを特徴とするサーバ。
【発明の詳細な説明】
【０００１】
【発明の属する技術分野】
本発明は、携帯電話機に関するものである。なお、本明細書において携帯電話機には、携帯電話端末のみならずＰＨＳ（Ｐｅｒｓｏｎａｌ  Ｈａｎｄｙ  Ｐｈｏｎｅ  Ｓｙｓｔｅｍ）端末も含まれる。
【０００２】
【従来の技術】
近年、携帯電話機の高機能化、多機能化が進んでおり、携帯電話機の多くが音声通話機能以外に様々な機能を搭載している。そして、このような多機能携帯電話機の中にボイスレコーダー機能付き携帯電話機がある。しかし、携帯電話機は小型化及び軽量化が要求されるため一般的に大容量のメモリを搭載することができない。このため、上記ボイスレコーダー機能付き携帯電話機において、ボイスレコーダー機能での録音時間や記録データの品質が制限されてしまうという問題が生じる。また、かかる制限を解消するためにメモリーカード等の装脱着可能な記録媒体を用いた場合、携帯電話機内部に記録媒体に対してデータの入出力を行うデータ入出力装置を実装する必要があり、携帯電話機の製造にコストがかかってしまうという問題が生じる。
【０００３】
上記問題点を解決するために、記憶容量の小さい携帯電話機本体に音声データを記録するのではなく、ネットワークを介して接続された記憶容量が大きく且つ処理能力の高いサーバに対して携帯電話機が音声データを送信して、当該サーバにおいて音声データを記録する方法が考えられる。そして、かかる方法を実現する録音サービス装置が例えば特許文献１に開示されている。
【０００４】
特許文献１に開示されている録音サービス装置は、携帯電話機を大型化することなく且つ携帯電話機本体の製造コストを大幅に上昇させることなく、長時間の録音を可能とする。
【０００５】
【特許文献１】
特開２００１−１７７６５３号公報
【０００６】
【発明が解決しようとする課題】
しかしながら、特許文献１に開示されている録音サービス装置では長時間の録音が可能となるが故に録音サービスを利用したユーザが記録された音声データの中から必要な部分を探し出すことが困難になってしまうという問題が生じる。
【０００７】
本発明は、上記の問題点に鑑み、携帯電話機を大型化することなく且つ携帯電話機本体の製造コストを大幅に上昇させることなく、長時間の録音が可能であり、且つ記録した内容の必要な部分を短時間で見つけることができるレコーダーサービスシステムを構成する携帯電話機及びサーバを提供することを目的とする。
【０００８】
【課題を解決するための手段】
上記目的を達成するために、本発明に係る携帯電話機においては、音声を入力して音声データを生成する音声入力手段と、前記音声入力手段によって生成された音声データをサーバに送信するとともに前記サーバに前記音声データの記録を指示する手段と、前記サーバに記録されている少なくとも一つの音声データの中から一つの音声データを選択し、その選択した音声データの一部又は全てを指定してその指定した音声データの一部又は全部の送信を前記サーバに指示するとともにその指定した音声データの一部又は全部を受信する手段と、前記受信手段によって受信された音声データを再生する再生手段と、を備える構成とする。
【０００９】
このような構成によると、携帯電話機が生成した音声データをサーバに記録することができる。これにより、携帯電話機を大型化することなく且つ携帯電話機本体の製造コストを大幅に上昇させることなく、会話や会議の内容等の長時間録音が可能となる。また、携帯電話機が、音声データの一部又は全部の送信を前記サーバに指示するとともにその指定した音声データの一部又は全部を受信する手段を有するので、サーバに記録した音声データを任意の位置から携帯電話機側で再生することが可能となる。これにより、長時間録音であっても記録した内容の必要な部分を短時間に見つけることができ、利便性が向上する。
【００１０】
さらに、音声データの一部又は全部の指定を容易にする観点から、上記構成の携帯電話機において、音声データの再生開始時間を指定することによって前記選択した音声データの一部又は全てを指定するようにしてもよい。
【００１１】
また、上記構成の携帯電話機に携帯電話網を介して接続されるサーバにおいては、記録手段と、前記携帯電話機からの指示に応じて前記携帯電話機から送信される音声データを前記記録手段に記録する手段と、前記携帯電話機からの指示に応じて、前記記録手段に記録されている音声データの中から前記携帯電話機が指定した音声データの一部又は全部を読み出して前記携帯電話機に送信をする手段と、を備える構成とする。
【００１２】
サーバをこのような構成にすると、携帯電話網を介して上記構成の携帯電話機に当該サーバを接続することによって、携帯電話機を大型化することなく且つ携帯電話機本体の製造コストを大幅に上昇させることなく、長時間の録音が可能であり、且つ記録した内容の必要な部分を短時間で見つけることができるレコーダーサービスシステムを構築することができる。
【００１３】
また、上記目的を達成するために、本発明に係る携帯電話機においては、音声を入力して音声データを生成する音声入力手段と、前記音声入力手段によって生成された音声データをサーバに送信するとともに、前記音声データを記録すること及びその記録した音声データを文字データに変換してその文字データを前記記録した音声データに対応させて記録することを前記サーバに指示する手段と、前記サーバに記録されている少なくとも一つの音声データの中から一つの音声データを選択し、その選択した音声データの一部又は全てを指定してその指定した音声データの一部又は全部を前記サーバに送信させるとともにその指定した音声データの一部又は全部を受信する手段と、前記受信手段によって受信された音声データを再生する再生手段と、を備える構成とする。
【００１４】
このような構成によると、携帯電話機が生成した音声データをサーバに記録することができる。これにより、携帯電話機を大型化することなく且つ携帯電話機本体の製造コストを大幅に上昇させることなく、会話や会議の内容等の長時間録音が可能となる。また、携帯電話機が、音声データの一部又は全部の送信を前記サーバに指示するとともにその指定した音声データの一部又は全部を受信する手段を有するので、サーバに記録した音声データを任意の位置から携帯電話機側で再生することが可能となる。これにより、長時間録音であっても記録した内容の必要な部分を短時間に見つけることができ、利便性が向上する。
【００１５】
また、前記文字データを、前記記録した音声データの最初から再生が開始されたときの再生開始からの経過時間によって、前記記録した音声データに対応させて記録することを前記サーバに指示するようにしてもよい。これにより、文字データと音声データとを関連付けて記録することができる。
【００１６】
また、所定のキーワードによって検索することができるようにするために、文字データを指定することによってその指定された文字データに対応する前記選択した音声データの一部又は全てを指定するようにしてもよい。
【００１７】
また、上記構成の携帯電話機に携帯電話網を介して接続されるサーバにおいては、記録手段と、前記携帯電話機からの指示に応じて前記携帯電話機から送信される音声データを前記記録手段に記録するとともに、その記録した音声データを文字データに変換してその文字データを前記記録した音声データに対応させて記録する手段と、前記携帯電話機からの指示に応じて、前記記録手段に記録されている音声データの中から前記携帯電話機が指定した音声データの一部又は全部を読み出して前記携帯電話機に送信をする手段と、を備える構成とする。
【００１８】
サーバをこのような構成にすると、携帯電話網を介して上記構成の携帯電話機に当該サーバを接続することによって、携帯電話機を大型化することなく且つ携帯電話機本体の製造コストを大幅に上昇させることなく、長時間の録音が可能であり、且つ記録した内容の必要な部分を短時間で見つけることができるレコーダーサービスシステムを構築することができる。
【００１９】
【発明の実施の形態】
以下に本発明の一実施形態について図面を参照して説明する。図１に示すように本発明に係る携帯電話機１と本発明に係るサーバ３とは互いに携帯電話網２を介して接続され、レコーダーサービスシステムを構成している。本発明に係るサーバ３は本発明に係る携帯電話機１から送信される音声データを音声データ記録用メモリ３ａに格納する。
【００２０】
次に、本発明に係る携帯電話機１の構成について図２の回路ブロック図を参照して説明する。本発明に係る携帯電話機１は、送受信回路１１と、携帯電話機の動作プログラム及び表示用フォントデータ等を格納している不揮発性メモリ１２と、携帯電話機全体の動作を制御する中央制御装置１３と、音声を入力してその音声を音声データに変換するマイク部１４と、送受信回路１１が受信した音声データを音声として出力するスピーカ部１５と、「０」〜「９」の各数字が割り当てられるテンキー及びそれぞれに異なる機能が割り当てられた機能キー等によって構成されるキー群である入力キー１６と、ＬＣＤ（Ｌｉｑｕｉｄ  Ｃｒｙｓｔａｌ  Ｄｉｓｐｌａｙ）等の表示装置１７とを備える。
【００２１】
続いて、上記構成の携帯電話機の動作について図３及び図４のフローチャートを参照して説明する。まず、中央制御装置１３は、携帯電話機がボイスレコーダサービスを使用する録音・再生モードであるかを判定する（ステップＳ１０）。
【００２２】
録音・再生モードであると判定されなければ（ステップＳ１０のＮｏ）、録音・再生モードとは異なる他の処理（通話、メール送受信等）が実行される（ステップＳ９０）。なお、ステップＳ９０での処理は本発明の特徴部分ではないため説明を省略する。一方、録音・再生モードであると判定されれば（ステップＳ１０のＹｅｓ）、中央制御装置１３は、入力キー１６の出力に基づいて録音ボタン又は再生ボタンが押下されたかを判定する（ステップＳ２０）。なお、本実施形態では入力キー１６の特定のキー例えばＳｅｌｅｃｔキーを録音ボタンに対応させ、入力キー１６の特定のキー例えばＳｅｎｄキーを再生ボタンに対応させる。
【００２３】
録音ボタン又は再生ボタンが押下されたと判定されれば（ステップＳ２０のＹｅｓ）、中央制御装置１３は、入力キー１６の出力に基づいて録音ボタンが押下されたかを判定する（ステップＳ３０）。
【００２４】
録音ボタンが押下されたと判定されれば（ステップＳ３０のＹｅｓ）、録音モードとなり後述するステップＳ４０〜Ｓ８０の動作を行う。一方、録音ボタンが押下されたと判定されなければ、すなわち再生ボタンが押下されたと判定されれば（ステップＳ３０のＮｏ）、再生モードとなり後述する図４に示すステップＳ１００〜Ｓ２５０及び図３に示すステップＳ８０の動作を行う。
【００２５】
以下、録音モードでの動作と再生モードでの動作について順に説明する。録音モードでは、まず中央制御装置１３が送受信回路１１を通してサーバ３（図１参照）に対して発呼処理を行いサーバ３に自動的に呼接続する（ステップＳ４０）。なお、この発呼処理の際、携帯電話機１はサーバ３に発信者番号の通知を行っており、サーバ３は携帯電話機１からの発信者番号通知によって携帯電話機１を識別する。
【００２６】
ステップＳ４０の処理が終了すると、中央制御装置１３は送受信回路１１を通じて自動的に録音開始要求をサーバ３に送信する（ステップＳ４０）。サーバ３は携帯電話機１からの録音開始要求を受信すると、携帯電話機１に対して録音を許可する旨の信号を返信する。携帯電話機１は録音を許可する旨の信号を受信すると、音声データの録音処理を開始する。ここで、音声データの録音処理とは、中央制御装置１３がマイク部１４から送られる音声データをサーバ３に送受信回路１１を通して送信することをいう。そして、サーバ３はその携帯電話機から送信される音声データを音声データ記録用メモリ３ａに記録する。
【００２７】
中央制御装置１３は、上記録音処理中に入力キー１６の出力に基づいて停止ボタンが押下されたかを判定する（ステップＳ６０）。なお、本実施形態では入力キー１６の特定のキー例えば終話キーを停止ボタンに対応させる。
【００２８】
停止ボタンが押下されたと判定されれば（ステップＳ６０のＹｅｓ）、中央制御装置１３は送受信回路１１を通じて録音停止要求をサーバ３に送信し（ステップＳ７０）、その後回線を切断して録音処理を終了する（ステップＳ８０）。サーバ３は携帯電話機１からの録音停止要求を受信すると、音声データの記録動作を終了する。
【００２９】
次に再生モードでの動作について説明する。再生モードでは、まず中央制御装置１３が送受信回路１１を通してサーバ３に対して発呼処理を行いサーバ３に自動的に呼接続する（図４のステップＳ１００）。なお、この発呼処理の際、携帯電話機１はサーバ３に発信者番号の通知を行っており、サーバ３は携帯電話機１からの発信者番号通知によって携帯電話機１を識別する。
【００３０】
続くステップＳ１１０において、中央制御装置１３は送受信回路１１を通して録音データリスト要求をサーバ３に送信する。サーバ３は、携帯電話機１からの録音データリスト要求を受信すると、発信者番号通知によって識別した携帯電話機に対応する録音データリストを携帯電話機１に送信する。
【００３１】
続くステップＳ１２０において、中央制御装置１３は送受信回路１１を通して録音データリストを受信したかを判定する。録音データリストを受信したと判定されれば（ステップＳ３２０のＹｅｓ）、中央制御装置１３は受信した録音データリストを表示装置１７に表示させる（ステップＳ１３０）。録音データリストの表示としては、例えば個々の音声データが録音された日時をリストのタイトルとして表示する形態が挙げられる。
【００３２】
続くステップＳ１４０において、中央制御装置１３は、入力キー１６の出力に基づいて再生データが選択されたかを判定する。再生データの選択は、ユーザが入力キー１６のうち特定のキー、例えば上下キーを操作して録音データリストの中から再生したい音声データを選択し、さらに入力キー１６のうち特定のキー、例えばメニューキーを押すことでその選択を決定することによってなされる。
【００３３】
再生データが選択されたと判定されれば（ステップＳ１４０のＹｅｓ）、中央制御装置１３は、表示装置１７に図６に示すような再生開始時間の表示画面を表示させる（ステップＳ１５０）。
【００３４】
続くステップＳ１６０において、中央制御装置１３は、入力キー１６の出力に基づいて戻るボタンが押下されたかを判定する。戻るボタンが押下されたと判定されれば（ステップＳ１６０のＹｅｓ）、ステップＳ１３０に移行して表示装置１７の表示画面に再度録音データリストが表示される。一方、戻るボタンが押下されたと判定されなければ（ステップＳ１６０のＮｏ）、中央制御装置１３は入力キー１６の出力に基づいて早送りボタン又は巻き戻しボタンが押下されたかを判定する（ステップＳ１７０）。なお、本実施形態では入力キー１６の特定のキー例えば右キーを早送りボタンに対応させ、入力キー１６の特定のキー例えば左キーを巻き戻しボタンに対応させる。
【００３５】
早送りボタン又は巻き戻しボタンが押下されたと判定されれば（ステップＳ１７０のＹｅｓ）、早送りボタン又は巻き戻しボタンが押下され続けた時間に応じて再生開始時間を進めたり戻したりすることで表示装置１７に表示されている再生開始時間を変更したのち（ステップ１８０）、ステップＳ１５０に移行して変更後の再生開始時間を表示装置１７に表示させる。一方、早送りボタン又は巻き戻しボタンが押下されたと判定されなければ（ステップＳ１７０のＮｏ）、中央制御装置１３は入力キー１６の出力に基づいて再生開始ボタンが押下されたかを判定する（ステップＳ１９０）。なお、本実施形態では入力キー１６の特定のキー例えばＳｅｎｄキーを再生開始ボタンに対応させる。
【００３６】
ステップＳ１９０において再生開始ボタンが押下されたと判定されれば（ステップＳ１９０のＹｅｓ）、中央制御装置１３はステップＳ１４０での選択結果及び表示装置１７に表示されている再生開始時間をサーバ３に送受信回路１１を通して送信する（ステップＳ２００）。サーバ３は音声データ記録用メモリ３ａに記録している音声データの中から、受信した選択結果及び再生開始時間に対応した部分以降の音声データを順次携帯電話機１に送信する。そして、中央制御装置１３は、送受信回路１１を通してサーバ３から送られてくる音声データを順次受信し（ステップＳ２１０）、その音声データに基づいてスピーカ部１５から音声を出力する（ステップＳ２２０）。このストリーミング再生中、中央制御装置１３は入力キー１６の出力に基づいて停止ボタンが押下されたかを判定する（ステップＳ２３０）。なお、本実施形態では入力キー１６の特定のキー例えば「１」キーを停止ボタンに対応させる。そして、停止ボタンが押下されたと判定されれば（ステップＳ２３０のＹｅｓ）、中央制御装置１３は送受信回路１１を通して再生停止要求をサーバに送信して音声データの再生を停止したのち（ステップＳ２４０）、ステップＳ１５０に移行して再生開始時間の選択画面に戻る。このとき再生開始時間はステップＳ２４０において再生を停止した時間とする。
【００３７】
また、ステップＳ１９０において再生開始ボタンが押下されたと判定されなければ（ステップＳ１９０のＮｏ）、中央制御装置１３は入力キー１６の出力に基づいて終了ボタンが押下されたかを判定する（ステップＳ２５０）。なお、本実施形態では入力キー１６の特定のキー例えば「２」キーを終了ボタンに対応させる。終了ボタンが押下されたと判定されれば（ステップＳ２５０のＹｅｓ）、回線を切断して（図３のステップＳ８０）音声データの再生処理を終了する。一方、終了ボタンが押下されたと判定されなければ（ステップＳ２５０のＮｏ）、ステップＳ１６０に移行する。
【００３８】
以上の動作によって、携帯電話機の通信機能を用いて音声データをサーバに記録することができる。これにより、携帯電話機を大型化することなく且つ携帯電話機本体の製造コストを大幅に上昇させることなく、会話や会議の内容等の長時間録音が可能となる。また、以上の動作によって、再生開始時間を指定してサーバに記録した音声データを任意の位置から再生することが可能となる。これにより、長時間録音であっても記録した内容の必要な部分を短時間で見つけることができ、利便性が向上する。
【００３９】
次に、本発明に係る携帯電話機の他の動作について図３及び図５のフローチャートを参照して説明する。まず、中央制御装置１３は、携帯電話機がボイスレコーダサービスを使用する録音・再生モードであるかを判定する（ステップＳ１０）。
【００４０】
録音・再生モードであると判定されなければ（ステップＳ１０のＮｏ）、録音・再生モードとは異なる他の処理（通話、メール送受信等）が実行される（ステップＳ９０）。なお、ステップＳ９０での処理は本発明の特徴部分ではないため説明を省略する。一方、録音・再生モードであると判定されれば（ステップＳ１０のＹｅｓ）、中央制御装置１３は、入力キー１６の出力に基づいて録音ボタン又は再生ボタンが押下されたかを判定する（ステップＳ２０）。なお、本実施形態では入力キー１６の特定のキー例えばＳｅｌｅｃｔキーを録音ボタンに対応させ、入力キー１６の特定のキー例えばＳｅｎｄキーを再生ボタンに対応させる。
【００４１】
録音ボタン又は再生ボタンが押下されたと判定されれば（ステップＳ２０のＹｅｓ）、中央制御装置１３は、入力キー１６の出力に基づいて録音ボタンが押下されたかを判定する（ステップＳ３０）。
【００４２】
録音ボタンが押下されたと判定されれば（ステップＳ３０のＹｅｓ）、録音モードとなり後述するステップＳ４０〜Ｓ８０の動作を行う。一方、録音ボタンが押下されたと判定されなければ、すなわち再生ボタンが押下されたと判定されれば（ステップＳ３０のＮｏ）、再生モードとなり後述する図５に示すステップＳ３００〜Ｓ４５０及び図３に示すステップＳ８０の動作を行う。
【００４３】
以下、録音モードでの動作と再生モードでの動作について順に説明する。録音モードでは、まず中央制御装置１３が送受信回路１１を通してサーバ３に対して発呼処理を行いサーバ３に自動的に呼接続する（ステップＳ４０）。なお、この発呼処理の際、携帯電話機１はサーバ３に発信者番号の通知を行っており、サーバ３は携帯電話機１からの発信者番号通知によって携帯電話機１を識別する。
【００４４】
ステップＳ４０の処理が終了すると、中央制御装置１３は送受信回路１１を通じて自動的に録音開始要求をサーバ３に送信する（ステップＳ４０）。サーバ３は携帯電話機１からの録音開始要求を受信すると、携帯電話機１に対して録音を許可する旨の信号を返信する。携帯電話機１は録音を許可する旨の信号を受信すると、音声データの録音処理を開始する。ここで、音声データの録音処理とは中央制御装置１３がマイク部１４から送られる音声データをサーバ３に送受信回路１１を通して送信することをいう。そして、サーバ３は、その携帯電話機から送信される音声データを音声データ記録用メモリ３ａに記録するととともに、内蔵メモリに格納されている音声認識ソフトを用いて音声データ記録用メモリ３ａに記録した音声データを文字データに変換し、その変換した文字データを、音声データ用メモリ３ａに記録した音声データの最初から再生が開始されたときの再生開始からの経過時間によって、音声データ用メモリ３ａに記録した音声データに対応させて音声データ用メモリ３ａに記録する。
【００４５】
中央制御装置１３は、上記録音処理中に入力キー１６の出力に基づいて停止ボタンが押下されたかを判定する（ステップＳ６０）。なお、本実施形態では入力キー１６の特定のキー例えば終話キーを停止ボタンに対応させる。
【００４６】
停止ボタンが押下されたと判定されれば（ステップＳ６０のＹｅｓ）、中央制御装置１３は送受信回路１１を通じて録音停止要求をサーバ３に送信し（ステップＳ７０）、その後回線を切断して録音処理を終了する（ステップＳ８０）。サーバ３は携帯電話機１からの録音停止要求を受信すると、音声データ及びそれに対応する文字データの記録動作を終了する。
【００４７】
次に再生モードでの動作について説明する。再生モードでは、まず中央制御装置１３が送受信回路１１を通してサーバ３に対して発呼処理を行いサーバ３に自動的に呼接続する（図５のステップＳ３００）。なお、この発呼処理の際、携帯電話機１はサーバ３に発信者番号の通知を行っており、サーバ３は携帯電話機１からの発信者番号通知によって携帯電話機１を識別する。
【００４８】
続くステップＳ３１０において、中央制御装置１３は送受信回路１１を通して録音データリスト要求をサーバ３に送信する。サーバ３は、携帯電話機１からの録音データリスト要求を受信すると、発信者番号通知によって識別した携帯電話機に対応する録音データリストを携帯電話機１に送信する。
【００４９】
続くステップＳ３２０において、中央制御装置１３は送受信回路１１を通して録音データリストを受信したかを判定する。録音データリストを受信したと判定されれば（ステップＳ３２０のＹｅｓ）、中央制御装置１３は受信した録音データリストを表示装置１７に表示させる（ステップＳ３３０）。録音データリストの表示としては、例えば個々の音声データが録音された日時をリストのタイトルとして表示する形態が挙げられる。
【００５０】
続くステップＳ３４０において、中央制御装置１３は、入力キー１６の出力に基づいて再生データが選択されたかを判定する。再生データの選択は、ユーザが入力キー１６のうち特定のキー、例えば上下キーを操作して録音データリストの中から再生したい音声データを選択し、さらに入力キー１６のうち特定のキー、例えばメニューキーを押すことでその選択を決定することによってなされる。
【００５１】
再生データが選択されたと判定されれば（ステップＳ３４０のＹｅｓ）、中央制御装置１３は、送受信回路１１を通して選択された音声データに対応する文字データを要求する旨の信号をサーバ３に送信する（ステップＳ３５０）。サーバ３は、携帯電話機１からの文字データを要求する旨の信号を受信すると、該当する文字データを携帯電話機１に送信する。
【００５２】
続くステップＳ３６０において、中央制御装置１３は、送受信回路１１を通して文字データを受信する。そして、中央制御装置１３は、ステップＳ３６０におおいて受信した文字データを表示装置１７の表示画面に図７に示すように表示させる（ステップＳ３７０）。
【００５３】
続くステップＳ３８０において、中央制御装置１３は、入力キー１６の出力に基づいて戻るボタンが押下されたかを判定する。戻るボタンが押下されたと判定されれば（ステップＳ３８０のＹｅｓ）、ステップＳ３３０に移行して表示装置１７の表示画面に再度録音データリストが表示される。一方、戻るボタンが押下されたと判定されなければ（ステップＳ３８０のＮｏ）、中央制御装置１３は、文字データの中から特定の文字又は文字列（以下、文字等という）が選択され、その選択後に再生開始ボタンが押ししたされたかを判定する（ステップＳ３９０）。特定の文字等の選択は、ユーザが入力キー１６のうち特定のキー、例えば左右キーを操作して再生を開始したい特定の文字等を選択することによってなされる。なお、本実施形態では入力キー１６の特定のキー例えばＳｅｎｄキーを再生開始ボタンに対応させる。
【００５４】
ステップＳ３９０において文字等が選択され再生開始ボタンが押下されたと判定されれば（ステップＳ３９０のＹｅｓ）、中央制御装置１３はステップＳ１４０での選択結果及び選択された再生開始文字等のデータをサーバに送受信回路１１を通して送信する（ステップＳ４００）。サーバ３は音声データ記録用メモリ３ａに記録している音声データの中から、受信した選択結果及び再生開始文字等に対応した部分以降の音声データを順次携帯電話機１に送信する。そして、中央制御装置１３は、送受信回路１１を通してサーバ３から送られてくる音声データを順次受信し（ステップＳ２１０）、その音声データに基づいてスピーカ部１５から音声を出力する（ステップＳ２２０）。このストリーミング再生中、中央制御装置１３は入力キー１６の出力に基づいて停止ボタンが押下されたかを判定する（ステップＳ４３０）。なお、本実施形態では入力キー１６の特定のキー例えば「１」キーを停止ボタンに対応させる。そして、停止ボタンが押下されたと判定されれば（ステップＳ４３０のＹｅｓ）、中央制御装置１３は送受信回路１１を通して再生停止要求をサーバに送信して音声データの再生を停止したのち（ステップＳ４４０）、ステップＳ３７０に移行して受信した文字データの表示画面に戻る。
【００５５】
また、ステップＳ３９０において文字等が選択され、再生開始ボタンが押下されたと判定されなければ（ステップＳ３９０のＮｏ）、中央制御装置１３は入力キー１６の出力に基づいて終了ボタンが押下されたかを判定する（ステップＳ４５０）。なお、本実施形態では入力キー１６の特定のキー例えば「２」キーを終了ボタンに対応させる。終了ボタンが押下されたと判定されれば（ステップＳ４５０のＹｅｓ）、回線を切断して（図３のステップＳ８０）音声データの再生処理を終了する。一方、終了ボタンが押下されたと判定されなければ（ステップＳ４５０のＮｏ）、ステップＳ３８０に移行する。
【００５６】
以上の動作によって、携帯電話機の通信機能を用いて音声データをサーバに記録することができる。これにより、携帯電話機を大型化することなく且つ携帯電話機本体の製造コストを大幅に上昇させることなく、会話や会議の内容等の長時間録音が可能となる。また、以上の動作によって、文字データを指定してサーバに記録した音声データを任意の位置から再生することが可能となる。これにより、長時間録音であっても記録した内容の必要な部分を短時間で見つけることができ、利便性が向上する。なお例えば、会議の内容を長時間録音した後、ステップＳ３９０において「決算報告」というキーワードを入力キー１６によって入力すると、「決算報告」というキーワードで検索がかかり、サーバに記録した音声データの中で「決算報告」という発言があったところから再生を開始するようにしてもよい。
【００５７】
【発明の効果】
本発明によると、携帯電話機を大型化することなく且つ携帯電話機本体の製造コストを大幅に上昇させることなく、長時間の録音が可能であり、且つ記録した内容の必要な部分を短時間で見つけることができるレコーダーサービスシステムを構成する携帯電話機及びサーバを実現することができる。
【図面の簡単な説明】
【図１】本発明に係る携帯電話機及びサーバを有するレコーダーサービスシステムの構成を示す図である。
【図２】本発明に係る携帯電話機の回路ブロック図である。
【図３】本発明に係る携帯電話機の動作を示すフローチャートである。
【図４】本発明に係る携帯電話機の動作を示すフローチャートである。
【図５】本発明に係る携帯電話機の動作を示すフローチャートである。
【図６】本発明に係る携帯電話機が具備する表示装置の表示画面を示す図である。
【図７】本発明に係る携帯電話機が具備する表示装置の表示画面を示す図である。
【符号の説明】
１  携帯電話機
２  携帯電話網
３  サーバ
１１  送受信回路
１２  不揮発性メモリ
１３  中央制御装置
１４  マイク部
１５  スピーカ部
１６  入力キー
１７  表示装置
【図１】
2004336319.tif 000003
【図２】
2004336319.tif 000004
【図３】
2004336319.tif 000005
【図４】
2004336319.tif 000006
【図５】
2004336319.tif 000007
【図６】
2004336319.tif 000008
【図７】
2004336319.tif 000009